(57)【要約】【課題】処理時に撮像された貨幣の画像に金種等の貨幣に関する情報が適正に紐付けられたか否かの承認をより簡易に行うことが可能な貨幣処理装置、貨幣処理システムおよび貨幣処理方法を提供する。【解決手段】硬貨処理システムは、硬貨を撮像する撮像部と、撮像部により撮像された硬貨の画像に対し当該硬貨に関する情報を入力するための操作を受け付ける処理を行う制御部３０５と、を備える。制御部３０５は、さらに、上記操作により設定された硬貨に関する情報を承認するための操作を受け付ける処理を実行し、硬貨に関する情報が信頼性に基づく所定の条件を満たす場合、当該硬貨に関する情報の承認のための操作の少なくとも一部を省略する。【選択図】図４
2020173610.tif 000002
【特許請求の範囲】
【請求項１】
貨幣を撮像する撮像部と、
前記撮像部により撮像された貨幣の画像に対し当該貨幣の金種を含む貨幣情報を設定するための設定操作を受け付ける処理を行う制御部と、を備え、
前記制御部は、さらに、前記設定操作により設定された前記貨幣情報を承認するための承認操作を受け付ける処理を実行し、前記貨幣情報が信頼性に基づく所定の条件を満たすことに基づいて、当該貨幣情報に対する前記承認操作の少なくとも一部を省略する、ことを特徴とする貨幣処理装置。
【請求項２】
前記制御部は、前記撮像部により撮像された貨幣の画像に基づき当該貨幣の金種を識別する識別処理を行い、
前記所定の条件は、前記貨幣の識別結果が前記設定操作により設定された前記貨幣情報に一致することを含む、請求項１に記載の貨幣処理装置。
【請求項３】
前記制御部は、前記識別処理において前記識別結果の信頼度に関する値を取得し、
前記所定の条件は、前記識別結果の信頼度に関する値が所定の閾値以上であることをさらに含む、請求項２に記載の貨幣処理装置。
【請求項４】
前記制御部は、前記設定操作を受け付ける処理において、当該操作を行う操作者に関する操作者情報を取得し、
前記所定の条件は、前記操作者情報が、予め登録されている所定権限を有する操作者に関する情報に一致することを含む、請求項１ないし３の何れか一項に記載の貨幣処理装置。
【請求項５】
前記撮像部は、複数の貨幣を同時に撮像し、
前記制御部は、前記承認操作を受け付ける処理において、前記撮像部により撮像された複数の貨幣を含む画像を前記貨幣情報とともに表示部に表示させ、表示された前記複数の貨幣情報を一括して承認する操作を受け付ける、請求項１ないし４の何れか一項に記載の貨幣処理装置。
【請求項６】
前記制御部は、前記貨幣情報が前記所定の条件を満たす貨幣の画像と、前記貨幣情報が前記所定の条件を満たさない貨幣の画像とを区別可能に、前記複数の画像を前記表示部に表示させる、請求項５に記載の貨幣処理装置。
【請求項７】
前記制御部は、前記承認操作を受け付ける処理において、前記複数の貨幣情報を一括して承認する操作と、貨幣ごとに前記貨幣情報を個別に承認する操作とを選択可能に受け付ける、請求項５または６に記載の貨幣処理装置。
【請求項８】
前記制御部は、前記承認操作を受け付ける処理において、前記撮像部により撮像された承認対象の貨幣の画像と、当該貨幣の前記貨幣情報に応じたサンプル画像とを表示部に表示させる、請求項１ないし７の何れか一項に記載の貨幣処理装置。
【請求項９】
前記撮像部は、複数の貨幣を同時に撮像し、
前記制御部は、前記承認操作を受け付ける処理において、前記撮像部により撮像された承認対象の貨幣の画像と、当該承認対象の貨幣と同時に撮像された前記複数の貨幣の画像を含む全体画像とを表示部に表示させる、請求項１ないし８の何れか一項に記載の貨幣処理装置。
【請求項１０】
前記制御部は、前記承認操作を受け付ける処理において、
前記貨幣情報が前記所定の条件を満たさない場合は、前記貨幣情報を訂正する操作と、前記貨幣情報を確定させる操作とを受け付け、
前記貨幣情報が前記所定の条件を満たす場合は、前記２つの操作のうち、少なくとも、前記貨幣に関する情報を確定させる操作の受け付けを省略する、請求項１ないし９の何れか一項に記載の貨幣処理装置。
【請求項１１】
前記制御部は、前記承認操作を受け付ける処理において、前記貨幣情報が前記所定の条件を満たす場合、当該貨幣情報に対する前記承認操作の全てを省略する、請求項１ないし１０の何れか一項に記載の貨幣処理装置。
【請求項１２】
貨幣を撮像する撮像部と、
前記撮像部により撮像された貨幣の画像に対し当該貨幣の金種を含む貨幣情報を設定するための設定操作を受け付ける処理を行う制御部と、を備え、
前記制御部は、さらに、前記設定操作により設定された前記貨幣情報を承認するための承認操作を受け付ける処理を実行し、前記貨幣情報が信頼性に基づく所定の条件を満たすことに基づいて、当該貨幣情報に対する前記承認操作の少なくとも一部を省略する、ことを特徴とする貨幣処理システム。
【請求項１３】
貨幣の画像を撮像部により撮像させ、
撮像された貨幣の画像に対し当該貨幣の金種を含む貨幣情報を設定するための設定操作を受け、
前記設定操作により設定された前記貨幣情報を承認するための承認操作を受け付け、
前記貨幣情報が信頼性に基づく所定の条件を満たすことに基づいて、当該貨幣情報に対する前記承認操作の少なくとも一部を省略する、ことを特徴とする貨幣処理方法。
【発明の詳細な説明】
【技術分野】
【０００１】
本発明は、貨幣を処理する貨幣処理装置、貨幣処理システムおよび貨幣処理方法に関する。
【背景技術】
【０００２】
従来、損貨（変形硬貨、汚損硬貨）や記念貨等の、市場流通に適さない特殊な硬貨を取り扱う硬貨処理装置が知られている。たとえば、このような硬貨処理装置の一例が、特許文献１に開示されている。
【０００３】
特許文献１の硬貨処理装置では、入金口を介して筐体内部にある入金位置に一枚の硬貨が載置される。載置された硬貨は、入金位置においてカメラで撮像される。撮像された画像は、硬貨の種類および金種に関する候補とともに表示部に表示される。操作者は、硬貨の画像を見ながら、その硬貨の種類および金種を複数の候補の中から選択する。硬貨の種類および金種が選択されると、これら情報が画像に紐付けられて記憶部に記憶される。その後、硬貨は、損貨であるか記念貨であるかに応じて、損貨箱または記念貨箱に振り分けて収納される。
【先行技術文献】
【特許文献】
【０００４】
【特許文献１】特開２０１５−０１８３０４号公報
【発明の概要】
【発明が解決しようとする課題】
【０００５】
上記構成の硬貨処理装置では、入金時に各硬貨の画像に紐付けられた金種が適正であるか否かを、入金処理後に、管理者等の承認者が確認して承認する操作が行われる。この操作において、承認者は、１枚ずつ硬貨の画像とその金種とを目視により確認する必要があり、承認に大層手間が掛かっていた。
【０００６】
かかる課題に鑑み、本発明は、処理時に撮像された貨幣の画像に対し、金種等の貨幣に関する情報が適正に紐付けられたか否かの承認を、より簡易に行うことが可能な貨幣処理装置、貨幣処理システムおよび貨幣処理方法を提供することを目的とする。
【課題を解決するための手段】
【０００７】
本発明の第１の態様は、貨幣処理装置に関する。この態様に係る貨幣処理装置は、貨幣を撮像する撮像部と、前記撮像部により撮像された貨幣の画像に対し当該貨幣の金種を含む貨幣情報を設定するための設定操作を受け付ける処理を行う制御部と、を備える。ここで、前記制御部は、さらに、前記設定操作により設定された前記貨幣情報を承認するための承認操作を受け付ける処理を実行し、前記貨幣情報が信頼性に基づく所定の条件を満たすことに基づいて、当該貨幣情報に対する前記承認操作の少なくとも一部を省略する。
【０００８】
本態様に係る貨幣処理装置によれば、貨幣情報が信頼性に基づく所定の条件を満たす場合に、当該貨幣情報に対する承認操作の少なくとも一部が省略される。これにより、承認操作の手間を省くことができ、承認をより簡易に行うことができる。また、貨幣情報の信頼度が所定の条件を満たす場合に承認操作が省略されるため、貨幣情報の信頼性を担保できる。よって、本態様に係る貨幣処理装置によれば、貨幣情報の信頼性を担保しながら、貨幣情報の承認をより簡易に行うことができる。
【０００９】
本態様に係る貨幣処理装置において、前記制御部は、前記撮像部により撮像された貨幣の画像に基づき当該貨幣の金種を識別する識別処理を行い、前記所定の条件は、前記貨幣の識別結果が前記設定操作により設定された前記貨幣情報に一致することを含むよう設定され得る。
【００１０】
装置による金種の識別結果と、設定操作において操作者により設定された貨幣情報とが一致する場合、設定された貨幣情報は、信頼性が高いと言える。すなわち、この場合、貨幣情報は、恰も、装置と操作者とによるダブルチェックを受けて設定された状態となっている。よって、上記構成によれば、承認操作が省略された貨幣情報に対する信頼性を担保することができる。
【００１１】
この場合、前記制御部は、前記識別処理において前記識別結果の信頼度に関する値を取得し、前記所定の条件は、前記識別結果の信頼度に関する値が所定の閾値以上であることをさらに含むよう設定され得る。
【００１２】
上記のように、貨幣情報は金種を含むため、金種の識別結果の信頼度が高い場合、貨幣情報の信頼度も高い。上記構成によれば、さらに金種の識別結果の信頼度が高いことを条件に、承認操作が省略されるため、承認操作が省略された貨幣情報に対する信頼性をさらに高めることができる。
【００１３】
本態様に係る貨幣処理装置において、前記制御部は、前記設定操作を受け付ける処理において、当該操作を行う操作者に関する操作者情報を取得するよう構成され得る。この場合、前記所定の条件は、前記操作者情報が、予め登録されている所定権限を有する操作者に関する情報に一致することを含むよう設定され得る。
【００１４】
上長や管理責任者等の所定権限を有する者自身が、貨幣情報の設定を行った場合、設定された貨幣情報の信頼性は高く、別途、承認を行う必要はないと言える。よって、上記構成によれば、承認操作が省略された貨幣情報の信頼性を担保することができる。
【００１５】
本態様に係る貨幣処理装置において、前記撮像部は、複数の貨幣を同時に撮像し、前記制御部は、前記承認操作を受け付ける処理において、前記撮像部により撮像された複数の貨幣を含む画像を前記貨幣情報とともに表示部に表示させ、表示された前記複数の貨幣情報を一括して承認する操作を受け付けるよう構成され得る。
【００１６】
この構成によれば、操作者は、複数の貨幣の画像について貨幣情報を一括して承認できるため、貨幣ごとに承認を行う場合に比べて、承認操作を顕著に簡略化できる。よって、貨幣情報の承認をより簡易に行うことができる。
【００１７】
この場合、前記制御部は、前記貨幣情報が前記所定の条件を満たす貨幣の画像と、前記貨幣情報が前記所定の条件を満たさない貨幣の画像とを区別可能に、前記複数の画像を前記表示部に表示させるよう構成され得る。
【００１８】
この構成によれば、操作者は、複数の貨幣の画像を参照することにより、どの貨幣について、貨幣情報が信頼性に基づく所定の条件を満たしていないかを把握できる。よって、操作者は、一括承認の際に、特に、どの貨幣に対して貨幣情報を確認すべきかを把握でき、一括承認の作業をより円滑に進めることができる。
【００１９】
また、前記制御部は、前記承認操作を受け付ける処理において、前記複数の貨幣情報を一括して承認する操作と、貨幣ごとに前記貨幣情報を個別に承認する操作とを選択可能に受け付けるよう構成され得る。
【００２０】
この構成によれば、操作者は、一括承認と個別承認とを任意に選択できる。たとえば、全体画像に含まれる一部の貨幣の画像について貨幣情報が誤っている場合は、一括承認を行えない。このような場合に、操作者は、個別承認を選択して、貨幣ごとに承認または訂正を行う。これにより、操作者は、承認の作業を、円滑に進めることができる。
【００２１】
本態様に係る貨幣処理装置において、前記制御部は、前記承認操作を受け付ける処理において、前記撮像部により撮像された承認対象の貨幣の画像と、当該貨幣の前記貨幣情報に応じたサンプル画像とを表示部に表示させるよう構成され得る。
【００２２】
この構成によれば、操作者は、貨幣の画像とサンプル画像とを対比することにより、貨幣の画像に紐付けられた貨幣情報が適正であるかを容易に確認できる。よって、操作者は、当該貨幣の画像に紐付けられた貨幣情報の適否を容易に確認できる。
【００２３】
本態様に係る貨幣処理装置において、前記撮像部は、複数の貨幣を同時に撮像し、前記制御部は、前記承認操作を受け付ける処理において、前記撮像部により撮像された承認対象の貨幣の画像と、当該承認対象の貨幣と同時に撮像された前記複数の貨幣の画像を含む全体画像とを表示部に表示させるよう構成され得る。
【００２４】
この構成によれば、操作者は、全体画像を参照することにより、承認対象の貨幣の設置位置や設置状態を把握できる。これにより、操作者は、貨幣情報の承認作業をより円滑に進めることができる。
【００２５】
本態様に係る貨幣処理装置において、前記制御部は、前記承認操作を受け付ける処理において、前記貨幣情報が前記所定の条件を満たさない場合は、前記貨幣情報を訂正する操作と、前記貨幣情報を確定させる操作とを受け付け、前記貨幣情報が前記所定の条件を満たす場合は、前記２つの操作のうち、少なくとも、前記貨幣情報を確定させる操作の受け付けを省略するよう構成され得る。
【００２６】
この構成によれば、操作者は、貨幣情報の信頼性が高い場合に、少なくとも、貨幣情報を確定させる操作を省略できる。よって、承認操作をより簡易に行うことができる。
【００２７】
あるいは、前記制御部は、前記承認操作を受け付ける処理において、前記貨幣情報が前記所定の条件を満たす場合、当該貨幣情報に対する前記承認操作の全てを省略するよう構成され得る。
【００２８】
この構成によれば、操作者は、貨幣情報の信頼性が高い場合に、当該貨幣情報の承認操作を一切行う必要がない。よって、承認操作をさらに簡易に行うことができる。
【００２９】
本発明の第２の態様は、貨幣処理システムに関する。この態様に係る貨幣処理システムは、貨幣を撮像する撮像部と、前記撮像部により撮像された貨幣の画像に対し当該貨幣の金種を含む貨幣情報を設定するための設定操作を受け付ける処理を行う制御部と、を備える。ここで、前記制御部は、さらに、前記設定操作により設定された前記貨幣情報を承認するための承認操作を受け付ける処理を実行し、前記貨幣情報が信頼性に基づく所定の条件を満たすことに基づいて、当該貨幣情報に対する前記承認操作の少なくとも一部を省略する。
【００３０】
本態様に係る貨幣処理システムによれば、第１の態様と同様の効果が奏され得る。
【００３１】
本発明の第３の態様は、貨幣処理方法に関する。この態様に係る貨幣処理方法は、貨幣の画像を撮像部により撮像させ、撮像された貨幣の画像に対し当該貨幣の金種を含む貨幣情報を設定するための設定操作を受け、前記設定操作により設定された前記貨幣情報を承認するための承認操作を受け付け、前記貨幣情報が信頼性に基づく所定の条件を満たす場合、当該貨幣情報に対する前記承認操作の少なくとも一部を省略する。
【００３２】
本態様に係る貨幣処理方法によれば、第１の態様と同様の効果が奏され得る。
【発明の効果】
【００３３】
上記のように、本発明によれば、処理時に撮像された貨幣の画像に対し、金種等の貨幣に関する情報が適正に紐付けられたか否かの承認を、より簡易に行うことが可能な貨幣処理装置、貨幣処理システムおよび貨幣処理方法を提供することができる。
【００３４】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３５】
【図１】図１は、実施形態に係る貨幣処理システムの外観を示す正面図である。
【図２】図２（ａ）、（ｂ）は、実施形態に係る特殊硬貨処理装置の構成を示す斜視図である。
【図３】図３（ａ）、（ｂ）は、実施形態に係る特殊硬貨処理装置の構成および動作を模式的に示す断面図である。
【図４】図４は、実施形態に係る特殊硬貨処理装置および操作端末の構成を示すブロック図である。
【図５】図５は、実施形態に係る、特殊硬貨の入金処理を示すフローチャートである。
【図６】図６（ａ）〜（ｄ）は、それぞれ、実施形態に係る、特殊硬貨の入金処理の際に操作端末において表示される画面を示す図である。
【図７】図７（ａ）、（ｂ）は、実施形態に係る、硬貨の画像に対して金種を設定するための操作を模式的に示す図である。
【図８】図８（ａ）、（ｂ）は、実施形態に係る、硬貨情報データベースの構成を示す図である。
【図９】図９（ａ）、（ｂ）は、実施形態に係る、各硬貨に紐付けられた硬貨情報を自動承認済みに設定する処理を示すフローチャートである。
【図１０】図１０（ａ）、（ｂ）は、実施形態に係る、硬貨情報の承認処理において表示される画面を示す図である。
【図１１】図１１（ａ）、（ｂ）は、実施形態に係る、硬貨情報の承認処理において表示される画面を示す図である。
【図１２】図１２（ａ）、（ｂ）は、実施形態に係る、硬貨情報の承認処理において表示される画面を示す図である。
【図１３】図１３（ａ）、（ｂ）は、変更例１に係る、硬貨情報の承認処理において表示される画面を示す図である。
【図１４】図１４（ａ）、（ｂ）は、変更例２に係る、硬貨情報の承認処理において表示される画面を示す図である。
【図１５】図１４（ａ）、（ｂ）は、変更例３に係る、硬貨情報の承認処理において表示される画面を示す図である。
【図１６】図１６は、他の変更例に係る、特殊硬貨処理装置の構成を示す斜視図である。
【図１７】図１７は、さらに他の変更例に係る、特殊硬貨処理装置の構成を示すブロック図である。
【発明を実施するための形態】
【００３６】
以下、本発明の実施形態について、図面を参照して説明する。
【００３７】
本実施形態において、特殊硬貨処理装置７が、特許請求の範囲に記載の「貨幣処理装置」に対応する。また、カメラ５１が、特許請求の範囲に記載の「撮像部」に対応し、「硬貨情報」が、特許請求の範囲に記載の「貨幣情報」に対応する。
【００３８】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３９】
図１は、本実施形態に係る、貨幣処理システム１の外観を示す正面図である。
【００４０】
貨幣処理システム１は、束紙幣処理装置２と、バラ紙幣処理装置３と、バラ硬貨処理装置４と、包装硬貨処理装置５と、有価媒体処理装置６と、特殊硬貨処理装置７と、操作端末８と、貨幣保管装置９と、を備える。
【００４１】
束紙幣処理装置２は、所定枚数（たとえば、１００枚）のバラ紙幣を結束して束紙幣（帯封紙幣）を形成する束紙幣形成部と、束紙幣を収納する束紙幣収納部とを有する。バラ紙幣処理装置３は、バラ紙幣を金種別に収納できる紙幣収納部を有し、バラ紙幣を紙幣収納部へ入金する入金処理や紙幣収納部からバラ紙幣を出金する出金処理を行う。束紙幣処理装置２は、バラ紙幣処理装置３と接続されており、バラ紙幣処理装置３から送られてきたバラ紙幣をもとに束紙幣形成部で束紙幣を生成して外部に投出し、あるいは、生成した束紙幣を束紙幣収納部に収納する。
【００４２】
バラ硬貨処理装置４は、バラ硬貨を金種別に収納できる硬貨収納部を有し、バラ硬貨を硬貨収納部へ入金する入金処理や硬貨収納部からバラ硬貨を出金する出金処理を行う。包装硬貨処理装置５は、所定枚数（たとえば、５０枚）のバラ硬貨を包装して包装硬貨を形成する包装硬貨形成部と、包装硬貨を収納する包装硬貨収納部とを有する。包装硬貨処理装置５は、バラ硬貨処理装置４と接続されており、バラ硬貨処理装置４から送られてきたバラ硬貨をもとに包装硬貨形成部で包装硬貨に生成して外部に投出し、あるいは、生成した包装硬貨を装硬貨収納部に収納する。
【００４３】
有価媒体処理装置６は、束紙幣処理装置２およびバラ紙幣処理装置３で取り扱われない有価媒体の処理を行う。具体的には、有価媒体処理装置６は、損券収納部、有価証券収納部を有し、現在発行されていない紙幣である旧券、市場流通に適さない損券および汚れや破れによってバラ紙幣処理装置３で処理できない損傷券を損券収納部に対して入出金する処理、および、小切手や手形などの特定の有価証券を有価証券収納部に対して入出金する処理を行う。また、有価媒体処理装置６は、新券収納部を有し、未使用の紙幣である新券を新券収納部から出金する処理を行う。
【００４４】
特殊硬貨処理装置７は、損貨（変形貨幣、汚損貨幣）、記念貨等の市場流通に適さない特殊な硬貨を取り扱う。これら特殊な硬貨は、バラ硬貨処理装置４では、取り扱うことができない。
【００４５】
操作端末８は、操作表示部３０１と、プリンタ３０２とを備える。ユーザは、操作端末８を用いて、束紙幣処理装置２、バラ紙幣処理装置３、バラ硬貨処理装置４、包装硬貨処理装置５、有価媒体処理装置６、特殊硬貨処理装置７および貨幣保管装置９に対する入金処理のための操作や出金処理のための操作を行う。
【００４６】
貨幣保管装置９は、損貨（変形貨幣、汚損貨幣）、旧貨、記念貨等の市場の流通に適さない特殊な硬貨等の保管に用いられる。また、貨幣保管装置９は、束紙幣処理装置２に収納しきれない束紙幣や包装硬貨処理装置５に収納しきれない包装硬貨の保管に用いられる。
【００４７】
図２（ａ）（ｂ）は、特殊硬貨処理装置７の構成を示す斜視図である。
【００４８】
特殊硬貨処理装置７は、直方体形状の筐体１０により、外郭が形成される。筐体１０の上部前側に開口１１が形成されている。この開口１１が、シャッター１２により開閉される。図２（ａ）には、開口１１がシャッター１２により閉じられた状態が示され、図２（ｂ）には、開口１１が開放された状態が示されている。シャッター１２は、筐体１０の左右の内側面に形成されたガイド溝１３に沿って、前後方向に移動可能に筐体１０に支持されている。
【００４９】
シャッター１２が開放されると、左右に並ぶ第１載置部２１と第２載置部２２が、外部に露出する。第１載置部２１と第２載置部２２は、仕切り２３によって仕切られている。第１載置部２１の直下に、第１載置部２１に載置された硬貨を収納するための第１収納庫３１が前方に引き出し可能に設置されている。また、第２載置部２２の直下に、第２載置部２２に載置された硬貨を収納するための第２収納庫３２が前方に引き出し可能に設置されている。すなわち、第１載置部２１と第２載置部２２にそれぞれ対応付けられて、第１収納庫３１と第２収納庫３２が設けられている。
【００５０】
本実施形態では、第１載置部２１が損貨の載置領域に設定され、第２載置部２２が記念貨の載置領域に設定されている。したがって、第１収納庫３１には損貨が収納され、第２収納庫３２には記念貨が収納される。第１収納庫３１と第２収納庫３２の真上の位置に、それぞれ、第１載置部２１と第２載置部２２に載置されるべき硬貨の種類を示すラベル３３、３４が付設されている。操作者は、これらのラベル３３、３４を参照することにより、第１載置部２１と第２載置部２２に載置されるべき硬貨の種類を把握できる。
【００５１】
なお、第１載置部２１および第２載置部２２に載置されるべき硬貨の種類は、任意に設定可能である。各載置領域に載置されるべき硬貨の種類は、たとえば、所定の設定画面を用いて設定される。設定された各載置領域の硬貨の種類は、特殊硬貨処理装置７内の記憶部に記憶される。ラベル３３、３４は設定に応じて付設される。たとえば、第１載置部２１と第２載置部２２が、何れも、損貨が載置される領域に設定されてもよく、あるいは、何れも、記念貨が載置される領域に設定されてもよい。
【００５２】
図３（ａ）、（ｂ）は、特殊硬貨処理装置７の構成および動作を模式的に示す断面図である。図３（ａ）、（ｂ）には、それぞれ、図２（ａ）のＡ−Ａ’断面図が示されている。図３（ａ）は、第１載置部２１と第２載置部２２に対象の硬貨が載置された後、シャッター１２が閉じられた直後の状態が示され、図３（ｂ）には、その後、収納動作が開始された状態が示されている。
【００５３】
図３（ａ）、（ｂ）に示すように、第１載置部２１は、枠部材２４と載置部材２５とで構成されている。枠部材２４の内側面は、仕切り２３の側面とともに、第１載置部２１の内側面を構成し、載置部材２５の上面は、第１載置部２１の底面、すなわち、第１載置部２１における硬貨の載置面を構成する。枠部材２４は、筐体１０内部に固定され、載置部材２５は、前後に移動可能に、支持フレーム４１に支持されている。支持フレーム４１には、枠部材２４の内側面と第１収納庫３１とを連通させる開口４１ａが設けられている。第２載置部２２も、図３（ａ）、（ｂ）と同様の構成である。
【００５４】
シャッター１２の上部内側面には、第１載置部２１および第２載置部２２の両方を画角に含むカメラ５１が設置されている。すなわち、第１載置部２１および第２載置部２２に載置された硬貨は、全て、１つのカメラ５１で同時に撮像される。
【００５５】
さらに、筐体１０の内部には、第１載置部２１および第２載置部２２を照明するための発光ユニット６１が設置されている。発光ユニット６１は、左右方向に長い形状を有する。発光ユニット６１は、たとえば、白色光を放射する。発光ユニット６１から放射される光の色が白色以外の色であってもよい。
【００５６】
発光ユニット６１は、たとえば、複数のＬＥＤ（Light Emitting Diode）を左右方向に並べて集積化した構成である。ＬＥＤの並び方向に光を均一化させるディフューザがさらに配置されてもよい。また、発光ユニット６１の短手方向に光の放射角を広げる拡大レンズが配置されてもよい。拡大レンズは、たとえば、凹状のシリンドリカル面を有し、シリンドリカル面の母線が発光ユニット６１の長手方向に平行となるように配置される。発光ユニット６１が、他の線光源により構成されてもよい。
【００５７】
発光ユニット６１は、図示しない設置部材によって、シャッター１２の奥側に設置されている。発光ユニット６１の左右方向の発光領域の長さは、第１載置部２１および第２載置部２２の両方を合わせた長さよりやや広い。発光ユニット６１は、斜め上方から第１載置部２１および第２載置部２２の両方に同時に光を照射する。すなわち、第１載置部２１および第２載置部２２に設置された全ての硬貨に対して、発光ユニット６１から同時に光が照射される。図３（ａ）の破線は、光の照射状態を示し、一点鎖線は、発光ユニット６１の短手方向における照射光の広がり角の中心軸を示している。
【００５８】
なお、発光ユニット６１が第１載置部２１および第２載置部２２ごとに個別に設けられてもよい。また、第１載置部２１に対して複数の発光ユニット６１が設けられてもよく、第２載置部２２に対して複数の発光ユニット６１が設けられてもよい。たとえば、第１載置部２１の前側の領域と後側の領域に対してそれぞれ発光ユニット６１が設けられてもよい。この場合、第１載置部２１に照射される光の強度が前側の領域と後側の領域とでなるべく均一化されるように、各発光ユニット６１の出射光量が個別に設定されてもよい。
【００５９】
図３（ａ）の状態から、載置部材２５が図示しない駆動機構により後方に移動されると、第１載置部２１の底面が徐々に開放される。これにより、図３（ｂ）に示すように、硬貨Ｃ１が、開放された底面から開口４１ａを介して第１収納庫３１の内部に落下する。載置部材２５は、前端が枠部材２４の後端側の内側面の位置まで移動する。これにより、第１載置部２１に載置された全ての硬貨Ｃ１が、第１収納庫３１の内部に落下して、第１収納庫３１に収納される。第２載置部２２に載置された硬貨も、同様の動作により、第２収納庫３２に収納される。
【００６０】
図４は、特殊硬貨処理装置７および操作端末８の構成を示すブロック図である。
【００６１】
特殊硬貨処理装置７は、撮像処理部２０１と、シャッター駆動部２０２と、載置部材駆動部２０３と、発光ユニット駆動部２０４と、通信部２０５と、制御部２０６と、記憶部２０７と、を備える。
【００６２】
撮像処理部２０１は、制御部２０６からの制御によりカメラ５１を駆動するとともに、カメラ５１からの画像データを処理して制御部２０６に送信する。シャッター駆動部２０２は、シャッター１２を駆動するためのモータ、駆動機構および駆動回路を備え、制御部２０６からの制御により、シャッター１２を開閉する。載置部材駆動部２０３は、図３（ａ）、（ｂ）に示した載置部材２５を駆動するためのモータ、駆動機構および駆動回路を備え、制御部２０６からの制御により、載置部材２５を駆動する。発光ユニット駆動部２０４は、発光ユニット６１を駆動する駆動回路を備え、制御部２０６からの制御により、発光ユニット６１を駆動する。通信部２０５は、制御部２０６からの制御により、操作端末８の通信部３０４との間で無線方式あるいは有線方式による通信を行う。
【００６３】
制御部２０６は、ＣＰＵ（Central Processing Unit）等の演算回路を備え、記憶部２０７に記憶されたプログラムに従って、撮像処理部２０１、シャッター駆動部２０２、載置部材駆動部２０３、発光ユニット駆動部２０４および通信部２０５を制御する。記憶部２０７は、ＲＯＭ（Read Only Memory）、ＲＡＭ（Random Access Memory）やハードディスク等の記憶媒体を備え、制御部２０６の制御プログラムを記憶し、また、制御部２０６の制御処理の際にワーク領域として利用される。
【００６４】
操作端末８は、上述した操作表示部３０１およびプリンタ３０２の他、カードリーダ３０３、通信部３０４、制御部３０５および記憶部３０６を備える。
【００６５】
操作表示部３０１は、ディスプレイ３０１ａとタッチセンサ３０１ｂとを備えたタッチパネルで構成される。ディスプレイ３０１ａは、各種情報を表示する。タッチセンサ３０１ｂは、ディスプレイ３０１ａに対するユーザのタッチ操作を検出する。プリンタ３０２は、束紙幣処理装置２、バラ紙幣処理装置３、バラ硬貨処理装置４、包装硬貨処理装置５、有価媒体処理装置６、特殊硬貨処理装置７および貨幣保管装置９に対する入金処理、出金処理等の各種処理の結果を、ジャーナルとして用紙に印字し出力する。
【００６６】
カードリーダ３０３は、ＩＤカードを読み取り、読み取ったデータ（ＩＤ情報）を制御部３０５に出力する。通信部３０４は、特殊硬貨処理装置７の通信部２０５との間で無線方式あるいは有線方式による通信を行う。この他、通信部３０４は、束紙幣処理装置２、バラ紙幣処理装置３、バラ硬貨処理装置４、包装硬貨処理装置５、有価媒体処理装置６および貨幣保管装置９の各通信部との間で無線方式あるいは有線方式による通信を行う。
【００６７】
制御部３０５は、ＣＰＵ等の演算回路を備え、記憶部３０６に記憶されたプログラムに従って、操作表示部３０１、プリンタ３０２、カードリーダ３０３、通信部３０４を制御する。さらに、制御部３０５は、通信部３０４を介して、束紙幣処理装置２、バラ紙幣処理装置３、バラ硬貨処理装置４、包装硬貨処理装置５、有価媒体処理装置６、特殊硬貨処理装置７および貨幣保管装置９との間で各種の指令や情報のやり取りを行うことにより、これら装置の動作を制御する。
【００６８】
記憶部３０６は、ＲＯＭ、ＲＡＭやハードディスク等の記憶媒体を備え、制御部３０５の制御プログラムを記憶し、また、制御部３０５の制御処理の際にワーク領域として利用される。さらに、記憶部３０６は、損貨および記念貨の参照画像と金種とを対応付けた硬貨画像データベース３０６ａを保持している。硬貨画像データベース３０６ａは、硬貨の種類（損貨／記念貨）ごとに準備されている。硬貨画像データベース３０６ａは、カメラ５１により撮像された硬貨の画像の金種を判定する際に、制御部３０５により参照される。
【００６９】
この他、記憶部３０６は、特殊硬貨処理装置７に入金された硬貨の画像と当該硬貨に関する情報（以下、「硬貨情報」という）とを紐付けて記憶する硬貨情報データベース３０６ｂを備えている。ここでは、硬貨情報として、硬貨の種類（損貨、記念貨）と金種（５００円、１００円、５０円、１０円、５円、１円）が記憶される。また、硬貨情報データベース３０６ｂには、入金の取引ごとに、取引の日時や、担当者（操作者）のＩＤ情報等の情報が記憶される。
【００７０】
次に、特殊硬貨処理装置７へ特殊な硬貨である損貨および記念貨を入金するための処理について説明する。
【００７１】
図５は、損貨等の特殊硬貨の入金処理を示すフローチャートである。図５のフローチャートは、操作端末８の制御部３０５において実行される。
【００７２】
特殊硬貨の入金処理において、操作者は、まず、図６（ａ）に示すメニュー画面４１０を操作する。メニュー画面４１０には、処理項目の選択候補を表示する領域４１１が含まれている。操作者は、領域４１１中の“特殊硬貨”の処理項目を選択する。これにより、領域４１２に含まれた貨幣の種類のうち、処理対象とされる損貨／旧貨および記念貨の項目がハイライト表示される。さらに、領域４１３に、当該硬貨の入金を行うための特殊硬貨処理装置７の画像４１３ａが表示される。操作者は、画像４１３ａを参照することにより、どの装置に対して入金を行えばよいかを円滑に把握できる。その後、操作者は、ボタン４１４を操作する。これにより、図５に示す処理が開始される。
【００７３】
図５を参照して、制御部３０５は、特殊硬貨処理装置７の制御部２０６に対して、シャッター１２を開放させる指示を送信する（Ｓ１０１）。これにより、特殊硬貨処理装置７のシャッター１２が開放される。また、制御部３０５は、操作表示部３０１にセット要求画面を表示させる。これにより、操作表示部３０１の画面が、図６（ａ）のメニュー画面４１０から図６（ｂ）のセット要求画面４２０に切り替わる。
【００７４】
図６（ｂ）を参照して、領域４２１には、図６（ａ）の領域４１１と同様の画像が表示される。領域４２２には、特殊硬貨処理装置７の硬貨載置領域における硬貨の種類の割り当て形態を示す画像４２２ａが表示される。ここでは、左側の硬貨載置領域（第１載置部２１）が損貨を載置するための領域に割り当てられ、右側の硬貨載置領域（第２載置部２２）が記念貨を載置するための領域に割り当てられている。操作者は、画像４２２ａを参照することにより、各載置領域に載置すべき硬貨の種類を的確に把握できる。
【００７５】
領域４２３には、特殊硬貨処理装置７に処理対象の硬貨をセットすること、および、セット完了後にボタン４２４を操作することを促すメッセージ４２３ａが含まれる。操作者は、メッセージ４２３ａを参照して、特殊硬貨処理装置７の第１載置部２１および第２載置部２２に、それぞれ、処理対象の損貨および記念貨を載置する。処理対象の全ての損貨および記念貨をセットすると、操作者は、ボタン４２４を操作する。これにより、図５のステップＳ１０３の判定がＹＥＳとなる。
【００７６】
こうして、ステップＳ１０３の判定がＹＥＳとなると、制御部３０５は、特殊硬貨処理装置７の制御部２０６に対して、シャッター１２を閉塞させる指示を送信する（Ｓ１０４）。これにより、特殊硬貨処理装置７のシャッター１２が閉塞される。さらに、制御部３０５は、特殊硬貨処理装置７の制御部２０６に対して、硬貨を撮像させる指示を送信する（Ｓ１０５）。これにより、特殊硬貨処理装置７において、第１載置部２１および第２載置部２２に載置された硬貨が、カメラ５１により撮像される。こうして、第１載置部２１および第２載置部２２に載置された全ての硬貨の画像を含む全体画像が取得される。特殊硬貨処理装置７の制御部２０６は、取得した全体画像を操作端末８に送信する。操作端末８の制御部３０５は、受信した全体画像を、記憶部３０６に一時記憶させる。
【００７７】
次に、制御部３０５は、特殊硬貨処理装置７から受信した複数の全体画像を処理して、当該全体画像に含まれる各硬貨の画像を切り出す（Ｓ１０６）。このとき、制御部３０５は、切り出した各硬貨の画像に対して歪み補正を行い、真円に近い各硬貨の画像を取得する。そして、制御部３０５は、ステップＳ１０６で切り出した各硬貨の画像と、硬貨画像データベース３０６ａに保持された基準画像とを照合して、各硬貨の画像の金種を識別する（Ｓ１０７）。
【００７８】
具体的には、制御部３０５は、各硬貨の画像について、マッチング度合いが所定の閾値以上で且つ最高の基準画像を硬貨画像データベース３０６ａから抽出し、この基準画像に対応付けられた金種を、当該硬貨の画像に割り当てる。このとき、制御部３０５は、各硬貨の画像に割り当てられた基準画像が、損貨と記念貨の何れの種類に属するかを示す区分を、各硬貨の画像にさらに割り当てる。また、マッチング度合いが閾値以上の基準画像がない硬貨の画像については、金種が不明との識別結果が割り当てられる。
【００７９】
こうして各硬貨の画像について金種を識別した後、制御部３０５は、第１載置部２１および第２載置部２２に対して、対応する種類（損貨／記念貨）の硬貨が適正にセットされたか否かを判定する（Ｓ１０８）。すなわち、制御部３０５は、各硬貨の画像に割り当てられた硬貨の種類の区分を参照し、損貨が載置されるべき第１載置部２１から取得された各硬貨の画像の何れかに記念貨の区分が割り当てられた場合、および、記念貨が載置されるべき第２載置部２２から取得された各硬貨の画像の何れかに損貨の区分が割り当てられた場合に、第１載置部２１および第２載置部２２に対して硬貨の置き間違いが生じたと判定する。
【００８０】
硬貨の置き間違いが生じた場合（Ｓ１０８：ＹＥＳ）、制御部３０５は、図６（ｃ）に示す確認要求画面４３０を操作表示部３０１に表示させる（Ｓ１０９）。確認要求画面４３０では、図６（ｂ）に示したセット要求画面４２０に領域４３１の画像が重ねて表示される。領域４３１には、硬貨の置き間違いがあること、および、硬貨の再セットを行うことを促すメッセージ４３１ａと、ボタン４３２が含まれる。操作者は、メッセージ４３１ａを参照して、硬貨の置き間違いを把握した後、ボタン４３２を操作する。これにより、図５のステップＳ１１０の判定がＹＥＳとなる。
【００８１】
これに応じて、制御部３０５は、処理をステップＳ１０１に戻して、ステップＳ１０１以降の処理を再度実行する。これにより、特殊硬貨処理装置７のシャッター１２が開放されて、硬貨の置き直しが可能となる。操作者は、ステップＳ１０２で表示されるセット要求画面４２０等を参照しながら、適正な載置領域に硬貨を置き直す。その後、操作者は、上記と同様の操作を行う。
【００８２】
硬貨の置き間違いがない場合（Ｓ１０８：ＮＯ）、制御部３０５は、図６（ｄ）に示す入金処理画面４４０を、操作表示部３０１に表示させる（Ｓ１１１）。
【００８３】
図６（ｄ）を参照して、入金処理画面４４０は、領域４４１、４４２と、ボタン４４３〜４４５とを含んでいる。領域４４１には、硬貨の入金結果４４１ａ、４４１ｂが金種ごとに表示される。領域４４２には、図５のステップＳ１０６において切り出した各硬貨の画像４４２ｃが表示される。表示される各硬貨の画像４４２ｃは、歪み補正後の画像である。領域４４２は、損貨の画像を表示させるためのタブ４４２ａと、記念貨の画像を表示させるためのタブ４４２ｂとを備えている。タブ４４２ａが選択されると、第１載置部２１にセットされた損貨の各画像が表示され、タブ４４２ｂが選択されると、第２載置部２２にセットされた記念貨の各画像が表示される。
【００８４】
硬貨の各画像４４２ｃの直下の位置に、各画像の金種を示す項目４４２ｄが表示される。入金処理画面４４０の表示開始時には、図５のステップＳ１０７で識別された各硬貨の画像４４２ｃの金種が項目４４２ｄに表示される。ステップＳ１０７で金種が不明と判定された硬貨の画像４４２ｃには、“？”の記号が項目４４２ｄに表示される。“？”の記号が付された画像４４２ｃ以外の画像４４２ｃについて、金種ごとに枚数が計数され、計数結果が、入金結果４４１ａ、４４１ｂとして、領域４４１に表示される。領域４４２には、画像４４２ｃをスクロールさせるためのスクロールバー４４２ｅが設けられている。
【００８５】
なお、金種を示す項目４４２ｄは、必ずしも、各画像４４２ｃの直下に配置されなくてもよく、画像４４２ｃに対応付けられた形態であれば、他の位置に配置されてもよい。たとえば、画像４４２ｃの一部に重なるように項目４４２ｄが配置されてもよい。
【００８６】
操作者は、項目４４２ｄに対する操作により、各硬貨の画像４４２ｃの金種を設定できる。
【００８７】
図７（ａ）、（ｂ）は、硬貨の画像４４２ｃに対して金種を設定するための操作を模式的に示す図である。
【００８８】
たとえば、金種が不明と識別された画像４４２ｃに対して金種を設定する場合、操作者は、まず、当該画像４４２ｃを参照して、当該画像４４２ｃの硬貨の金種を目視により確認する。次に、操作者は、図７（ａ）に示すように、当該画像４４２ｃに対応付けられた項目４４２ｄに指でタッチし、そのまま指を下方にドラッグさせる。これにより、ドラッグの距離に応じて項目４４２ｄに表示される金種が変化する。
【００８９】
たとえば、指を所定距離だけドラッグさせると、項目４４２ｄの金種が１円となり、さらに指を所定距離だけドラッグさせると、項目４４２ｄの金種が５円となる。その後、同様に、指を所定距離だけドラッグさせるごとに、項目４４２ｄの金種が、１０円、５０円、…と変化する。指を逆方向（上方）にドラッグさせると、金種の変化が反転する。
【００９０】
こうして、操作者は、画像４４２ｃに対応する金種が項目４４２ｄに表示されるまで、指をドラッグさせる。そして、画像４４２ｃに対応する金種が項目４４２ｄに表示されると、操作者は、指を画面から離す。これにより、図７（ｂ）のように、項目４４２ｄに金種が設定される。このとき、操作者により金種が設定された項目４４２ｄは、図５のステップＳ１０７で金種が識別された項目４４２ｄと区別可能な形態で表示される。たとえば、操作者により金種が設定された項目４４２ｄは、他の項目４４２ｄとは異なる色が付されて表示される。
【００９１】
操作者は、金種が不明と識別された他の画像４４２ｃについても、同様の操作により金種を設定する。また、操作者は、図５のステップＳ１０７で金種が識別された項目４４２ｄについても、適宜、上記と同様の操作により、金種を修正する。こうして、各画像４４２ｃの金種が操作者により設定されると、これに応じて、領域４４１に表示される各金種の入金結果４４１ａ、４４１ｂが更新される。
【００９２】
なお、図７（ａ）、（ｂ）に示した例では、指をドラッグさせることにより金種の候補が変更されたが、金種の候補を変化させる方法は、これに限られるものではない。たとえば、項目４４２ｄをタップするごとに金種の候補が変化する構成であってもよい。
【００９３】
図６（ｄ）に戻り、ボタン４４３は、全体画像を表示させるためのボタンである。全体画像を確認する際、操作者は、適宜、図６（ｄ）のボタン４４３を操作する。これにより、図５のステップＳ１０５の撮像処理において取得された全体画像が、操作表示部３０１のディスプレイ３０１ａ全体に表示される。すなわち、第１載置部２１および第２載置部２２の両方を上方から撮像した画像が、ディスプレイ３０１ａに表示される。操作者は、全体画像を参照することにより、各載置部に載置された硬貨の内容を正確に確認することができる。確認の後、操作者は、画面を図６（ｄ）の入金処理画面に戻すためのボタンを操作する。これにより、画面が、図６（ｄ）の入金処理画面４４０に戻る。
【００９４】
操作者は、領域４４２に対する金種の設定操作の際にも、適宜、ボタン４４３を操作して、全体画像を表示させる。これにより、操作者は、各硬貨の画像の金種をより円滑に目視により確認することができる。
【００９５】
図５に戻り、制御部３０５は、入金処理画面４４０を表示させた後（Ｓ１１１）、金種受付処理（Ｓ１１２）および詳細確認受付処理（Ｓ１１３）を実行する。金種受付処理（Ｓ１１２）において、制御部３０５は、図７（ａ）、（ｂ）に示した操作を受け付け、操作者により当該操作がなされた場合に、上記のように、項目４４２ｄの金種を変更する。また、詳細確認受付処理（Ｓ１１３）において、制御部３０５は、図６（ｄ）のボタン４４３に対する操作を受け付け、ボタン４４３に対する操作がなされた場合に、全体画像を操作表示部３０１に表示させる。
【００９６】
ステップＳ１１２、Ｓ１１３の処理とともに、制御部３０５は、入金処理画面４４０に対して、操作者により、やりなおし操作がなされたか否かを判定する（Ｓ１１４）。具体的には、制御部３０５は、図６（ｄ）の入金処理画面４４０中のボタン４４４が操作者により操作されたか否かを判定する。
【００９７】
操作者は、処理対象の硬貨の一部を第１載置部２１または第２載置部２２にセットし忘れた場合や、全体画像により各載置部に対する硬貨のセットが適切でなかったことを把握した場合等、入金処理をやり直す必要性を確認した場合に、ボタン４４４を操作する。これにより、制御部３０５は、ステップＳ１１４の判定をＹＥＳとして、処理をステップＳ１０１に戻す。これに応じて、特殊硬貨処理装置７のシャッター１２が開放される。これにより、操作者は、第１載置部２１または第２載置部２２にアクセスして、硬貨入金のための操作をやり直す。
【００９８】
やりなおし操作が行われることなく（Ｓ１１４：ＮＯ）、図６（ｄ）の入金処理画面４４０において、操作者により、全ての硬貨の画像４４２ｃに対して金種が設定され、その後、処理を確定させるボタン４４５が操作されると（Ｓ１１５：ＹＥＳ）、制御部３０５は、入金確定処理を実行する（Ｓ１１６）。これにより、制御部３０５は、当該入金取引に関する情報を記憶部３０６の硬貨情報データベース３０６ｂに記憶させる。硬貨情報データベース３０６ｂに記憶される情報は、追って、図８（ａ）、（ｂ）を参照して説明する。
【００９９】
こうして、入金確定処理を完了すると、制御部３０５は、通信部３０４を介して、各載置部に載置された硬貨を収納させる指示を特殊硬貨処理装置７に送信する。これに応じて、特殊硬貨処理装置７の制御部２０６は、載置部材駆動部２０３を制御して、載置部材２５を最後方位置へと移送させる。これにより、第１載置部２１および第２載置部２２に載置された硬貨が、それぞれ、第１収納庫３１および第２収納庫３２に落下して収納される。その後、制御部２０６は、載置部材２５を最前方位置（初期位置）へと移送させる。これにより、硬貨の入金処理が終了する。
【０１００】
図８（ａ）、（ｂ）は、図５のステップＳ１１６において硬貨情報データベース３０６ｂに記憶される情報の構成を示す図である。
【０１０１】
図８（ａ）に示すように、硬貨情報データベース３０６ｂには、入金取引を管理するための管理情報が記憶される。通番の項目には、各取引に付される通番が格納される。管理情報は、取引の通番と、取引の日時と、取引種別と、取引担当者（操作者）のＩＤ情報（担当者ＩＤ）と、全体画像と、承認有無とからなっている。日時の項目には、各取引がなされた日時が格納される。取引種別の項目には、取引の種別（ここでは入金）が格納される。担当者ＩＤの項目には、当該取引の際にカードリーダ３０３で読み取られたＩＤカードのＩＤ情報が格納される。全体画像は、当該取引の際に図５のステップＳ１０５で撮像された全体画像である。
【０１０２】
承認有無の項目には、当該取引に対して管理者（上長や責任者等）が承認を行ったか否かの情報が格納される。上記のように、図６（ｄ）に示した入金処理画面４４０を介して、操作者（取引担当者）により、各硬貨の画像に硬貨情報（硬貨の種類、金種）が紐付けられる。こうして紐付けられた硬貨情報は、入金処理後に、管理者によって確認され承認される。図８（ａ）の承認有無の項目には、各取引について、この確認が完了しているか否かの情報が格納される。
【０１０３】
さらに、硬貨情報データベース３０６ｂには、図８（ａ）の取引ごとに、図８（ｂ）の個別情報が記憶される。図８（ｂ）には、図８（ａ）の通番０００７の取引に対応する個別情報が示されている。ここでは、通番０００７の取引において、１００円、５００円、１円の損貨が入金されている。
【０１０４】
図８（ｂ）に示すように、個別情報は、硬貨の種別と、硬貨の金種と、硬貨の画像と、信頼度と、金種変更の有無と、承認有無が、当該取引において入金された硬貨ごとからなっている。種別の項目には、当該硬貨の種別（損貨／記念貨）が格納され、金種の項目には、当該硬貨の金種（５００円、１００円、５０円、１０円、５円、１円）が格納される。上記のとおり、硬貨の種別と硬貨の金種が、硬貨情報を構成する。硬貨画像は、当該取引の際に図５のステップＳ１０６で全体画像から切り出された各硬貨の画像である。
【０１０５】
信頼度の項目には、硬貨情報の信頼度に関する値が硬貨ごとに格納される。上記のように、図５のステップＳ１０７において、各硬貨の画像と基準画像とのマッチング率が取得されている。たとえば、各基準画像に対するマッチング率のうち最高のマッチング率が、硬貨情報の信頼度に関する値として、信頼度の項目に格納される。
【０１０６】
金種変更有無の項目には、図５のステップＳ１０７の処理により各硬貨の画像に設定された金種が、ステップＳ１１２の処理において、操作者により変更されたか否かを示す情報が格納される。図５のステップＳ１０７の処理により金種を識別できなかった硬貨の画像に対し、図７（ａ）、（ｂ）の操作により金種が設定された場合、金種変更有無の項目は“有”となる。また、図５のステップＳ１０７の処理により金種が識別された硬貨の画像に対し、図７（ａ）、（ｂ）の操作により金種が変更された場合も、金種変更有無の項目は“有”となる。図７（ａ）、（ｂ）の操作により金種が変更されなかった場合は、金種変更有無の項目は“無”となる。
【０１０７】
承認有無の項目には、上述の承認操作により、管理者が、当該硬貨の画像について承認を行ったか否かの情報が格納される。管理者による承認が完了している場合、承認有無の項目は“済”となる。また、管理者による承認が完了していない場合、承認有無の項目は“未”となる。
【０１０８】
なお、承認操作では、硬貨の画像とその硬貨情報（硬貨の種類、金種）とが、管理者により目視で確認される。すなわち、管理者は、硬貨の画像を１枚ずつ表示させながら、その金種や硬貨の種類を目視で確認する。このような操作は、煩雑であり、大層手間が掛かる。
【０１０９】
そこで、本実施形態では、硬貨情報が信頼性に基づく所定の条件を満たす場合は、当該硬貨情報の承認操作の少なくとも一部を省略するよう構成されている。具体的には、硬貨情報が信頼性に基づく所定の条件を満たす場合、当該硬貨情報は、装置による自動承認が完了しているとして、管理者による承認を省略するよう構成されている。この場合、図８（ｂ）の承認有無の項目は“自動”と設定される。
【０１１０】
図９（ａ）、（ｂ）は、各硬貨に紐付けられた硬貨情報を自動承認済みに設定する処理を示すフローチャートである。この処理は、図５のステップＳ１１６において、操作端末８の制御部３０５により行われる。
【０１１１】
まず、図９（ａ）を参照して、制御部３０５は、各硬貨の画像に対する金種の識別結果が、図７（ａ）、（ｂ）の操作によって、操作者により変更されたか否かを判別する（Ｓ２１１）。金種の識別結果が変更された場合（Ｓ２１１：ＹＥＳ）、制御部３０５は、当該硬貨の画像に対する硬貨情報を未承認に設定する（Ｓ２１４）。これにより、当該硬貨の画像に対する承認有無の項目（図８（ｂ）参照）が、“未”に設定される。
【０１１２】
金種の識別結果が変更されなかった場合（Ｓ２１１：ＮＯ）、制御部３０５は、さらに、当該硬貨の画像に対する金種の識別結果の信頼度が、所定の閾値以上であるか否かを判定する（Ｓ２１２）。ここで、信頼度とは、図８（ｂ）に示した信頼度のことである。閾値は、たとえば、８０％に設定される。管理者等により閾値が任意に設定されてもよい。この場合、管理者等は、操作表示部３０１に表示される設定画面を介して、ステップＳ２１２の閾値を設定する。これにより、店舗ごとの運用に応じて自動承認のレベルを設定でき、装置の利便性を高めることができる。
【０１１３】
信頼度が閾値以上である場合（Ｓ２１２：ＹＥＳ）、制御部３０５は、当該硬貨の画像に対する硬貨情報を自動承認済みに設定する（Ｓ２１３）。これにより、当該硬貨の画像に対する承認有無の項目（図８（ｂ）参照）が、“自動”に設定される。信頼度が閾値以上でない場合（Ｓ２１２：ＮＯ）、制御部３０５は、当該硬貨の画像に対する硬貨情報を未承認に設定する（Ｓ２１４）。これにより、当該硬貨の画像に対する承認有無の項目（図８（ｂ）参照）が、“未”に設定される。
【０１１４】
次に、図９（ｂ）を参照して、制御部３０５は、当該入金の取引が、上長や管理者等の所定権限を有する操作者（権限担当者）により行われたか否かを判定する（Ｓ３１１）。記憶部３０６には、予め、権限担当者のＩＤ情報のリストが記憶されている。権限担当者のＩＤ情報は、所定の登録画面を介して登録される。制御部３０５は、当該取引時にＩＤカードから読み取ったＩＤ情報（図８（ａ）の担当者ＩＤ）が、記憶部３０６に記憶されている権限担当者のＩＤ情報に含まれている場合に、ステップＳ３１１の判定をＹＥＳとする。
【０１１５】
ステップＳ３１１の判定がＹＥＳの場合、制御部３０５は、当該入金の取引において処理された全ての硬貨の画像の硬貨情報を自動承認済みに設定する。これにより、当該取引における全ての硬貨の画像に対する承認有無の項目（図８（ｂ）参照）が、“自動”に設定される。この場合、当該取引に対する承認有無の項目（図８（ａ）参照）が、承認済みを示す“済”に設定されてもよい。ステップＳ３１１の判定がＮＯの場合、制御部３０５は、処理を終了する。
【０１１６】
なお、図９（ａ）の処理よりも、図９（ｂ）の処理が先に行われてもよい。この場合、図９（ｂ）の処理において、ステップＳ３１１の判定がＹＥＳとなりステップＳ３１２の処理が行われた場合は、図９（ａ）の処理が省略されてもよい。また、図９（ａ）、（ｂ）の処理の何れか一方のみが行われてもよい。図９（ｂ）の処理のみが行われる場合、ステップＳ３１１の判定がＮＯであると、当該取引における全ての硬貨の画像の硬貨情報が未承認に設定される。硬貨情報を自動承認済みに設定する処理として、図９（ａ）、（ｂ）以外の処理が行われてもよい。また、図９（ａ）のステップＳ２１２が省略されてもよい。
【０１１７】
次に、硬貨情報の承認操作について説明する。
【０１１８】
図１０（ａ）〜図１２（ｂ）は、硬貨情報の承認処理において表示される画面を示す図である。これらの画面は、制御部３０５による処理により、操作表示部３０１に表示される。制御部３０５は、図８（ａ）、（ｂ）に示した硬貨情報データベース３０６ｂから、対象の取引に関する情報を取得して、これらの画面を操作表示部３０１に表示させる。
【０１１９】
承認操作を行うための操作が行われると、制御部３０５は、図１０（ａ）に示す一覧画面５１０を操作表示部３０１に表示させる。一覧画面５１０は、リスト５１１と、送りキー５１２ａ、５１２ｂと、ボタン５１３〜５１５を含んでいる。
【０１２０】
リスト５１１は、取引ごとに、番号、通番、取引種別、担当者および確認状況の項目が互いに対応づけられた構成となっている。番号の項目は、各取引の順序を示しており、制御部３０５によって自動付番される。通番および取引種別の項目には、それぞれ、図８（ａ）に示した通番および取引種別の項目の情報が表示される。担当者の項目には、図８（ａ）に示した担当者ＩＤの項目のＩＤ情報に対応する担当者の氏名が表示される。記憶部３０６には、予め、ＩＤ情報と担当者の氏名とが対応づけられて登録されている。確認状況の項目には、図８（ａ）の承認有無の項目の情報に基づき、各取引に対して硬貨情報の承認が完了しているか否かの情報が表示される。
【０１２１】
リスト５１１には、たとえば、承認操作のタイミングから所定期間前までの取引が表示される。たとえば、承認操作と同一の日に行われた取引が、リスト５１１に表示される。あるいは、確認状況が未確認の取引のみがリスト５１１に表示されてもよい。リスト５１１に表示されるべき取引が多数あり、対象領域に全ての取引を表示できない場合、送りキー５１２ａ、５１２ｂの操作に応じて、リスト５１１に表示される取引が前後に送られる。
【０１２２】
番号の項目には、チェックボックス５１１ａが含まれている。承認者は、承認しようとする取引のチェックボックス５１１ａを操作して、当該チェックボックス５１１ａにチェックを入れる。図１０（ａ）の例では、番号０００３の取引が承認者により選択されている。その後、承認者は、承認を開始するためのボタン５１３を操作する。これにより、制御部３０５は、承認対象の取引について、図１０（ｂ）に示す承認画面５２０を操作表示部３０１に表示させる。
【０１２３】
承認画面５２０は、領域５２１〜５２３と、送りキー５２４ａ、５２４ｂと、ボタン５２５、５２６と、送りキー５２７ａ、５２７ｂと、表示部５２７ｃと、ボタン５２８とを含んでいる。
【０１２４】
領域５２１には、当該取引における処理内容が表示される。すなわち、領域５２１には、取引種別５２１ａと、取引日時５２１ｂと、操作者名５２１ｃと、通番５２１ｄと、入金明細５２１ｅと、硬貨種別５２１ｆと、処理対象硬貨５２１ｇが表示される。取引種別５２１ａと、取引日時５２１ｂと、操作者名５２１ｃと、通番５２１ｄは、それぞれ、図８（ａ）の取引種別、日時、操作者ＩＤ、通番の項目の情報に基づいて表示される。入金明細５２１ｅ、硬貨種別５２１ｆおよび処理対象硬貨５２１ｇは、図８（ｂ）の金種および種別の情報に基づいて表示される。承認者は、領域５２１の表示を参照することにより、取引の内容を把握できる。
【０１２５】
入金された硬貨が多数あり、領域５２１に全ての情報を表示できない場合、送りキー５２４ａ、５２４ｂの操作に応じて、領域５２１に表示される情報が上下に送られる。これにより、承認者は、取引の内容を全て円滑に把握できる。
【０１２６】
領域５２２には、承認対象の硬貨の画像Ｐ１が表示される。ここでは、図８（ｂ）に示すように、当該取引において、１００円、５００円、１円の損貨が入金されている。図８（ｂ）に示すように、これら損貨のうち５００円、１円の損貨は、図９（ａ）、（ｂ）の処理によって未承認に設定され、１００円の損貨は、図９（ａ）、（ｂ）の処理によって自動承認済みに設定されている。したがって、ここでは、５００円、１円の損貨が、承認対象の硬貨となる。
【０１２７】
図１０（ｂ）の表示例では、これら承認対象の硬貨のうち、５００円の損貨の画像Ｐ１が、硬貨情報データベース３０６ｂ（図８（ａ）参照）から読み出されて表示されている。さらに、硬貨情報データベース３０６ｂ（図８（ａ）参照）において、この画像Ｐ１に紐付けられた硬貨情報（種別、金種）５２２ａが、領域５２２に表示される。硬貨情報５２２ａには、撮像により画像Ｐ１が取得されたことを示す文字（撮像）が含まれている。
【０１２８】
領域５２３には、硬貨情報（種別、金種）５２２ａに対応する基準画像の表裏の画像が、サンプル画像Ｓ１、Ｓ２として表示される。制御部３０５は、硬貨情報（種別、金種）５２２ａに対応する表裏の基準画像を硬貨画像データベース３０６ａ（図４参照）から抽出し、抽出した基準画像をサンプル画像Ｓ１、Ｓ２として表示させる。さらに、これらサンプル画像の硬貨情報（種別、金種）５２３ａが、領域５２３に表示される。硬貨情報５２２ａには、サンプル画像Ｓ１、Ｓ２がサンプル（基準画像）であることを示す文字（サンプル）が含まれている。
【０１２９】
承認者は、領域５２２に表示された画像Ｐ１と硬貨情報５２２ａとを参照して、画像Ｐ１と硬貨情報５２２ａとの紐付けが適正であるか否かを判断する。このとき、承認者は、適宜、領域５２３に表示されたサンプル画像Ｓ１、Ｓ２を参照して、装置による識別結果が適正であるか否かを確認する。硬貨情報５２２ａが適正でない場合、承認者は、ボタン５２５を操作して、硬貨情報５２２ａの訂正を行う。ボタン５２５が操作されると、制御部３０５は、当該硬貨の画像について、硬貨の種別と金種を選択するための画面を操作表示部３０１に表示させる。承認者は、この画面に従って、硬貨情報５２２ａを訂正する。訂正を確定させる操作が行われると、制御部３０５は、訂正後の内容で、再び、承認画面５２０を表示させる。
【０１３０】
硬貨情報５２２ａが適正である場合、承認者は、ボタン５２６を操作する。硬貨情報５２２ａを訂正した場合、承認者は、訂正後の硬貨情報５２２ａを確認して、ボタン５２６を操作する。これに応じて、制御部３０５は、承認画面５２０を、図１１（ａ）の内容に切り替える。図１１（ａ）の承認画面５２０では、図１０（ｂ）のボタン５２６が省略され、新たに承認者名Ｎ１が含まれている。承認者名Ｎ１には、当該硬貨の画像Ｐ１に対して承認操作を行った承認者の氏名が表示される。承認者名Ｎ１は、承認操作の際にＩＤカードから読み取ったＩＤ情報に基づいて表示される。
【０１３１】
こうして５００円の損貨に対して承認を行った後、承認者は、表示部５２７ｃを参照して、全ての硬貨に対して承認を行ったか否かを判断する。表示部５２７ｃには、当該取引により入金処理された硬貨の総枚数と、領域５２２に表示されている硬貨の画像Ｐ１の順番が、順番／総枚数の形式で表示されている。
【０１３２】
承認者は、表示部５２７ｃを参照して他の硬貨の画像が存在すると判断した場合、送りキー５２７ａ、５２７ｂを操作して、他の硬貨に対する承認を行う。制御部３０５は、送りキー５２７ａが操作されると、領域５２２、５２３に表示される画像を前の順番の硬貨に関する画像に切り替え、送りキー５２７ｂが操作されると、領域５２２、５２３に表示される画像を次の順番の硬貨に関する画像に切り替える。
【０１３３】
たとえば、送りキー５２７ｂが操作されると、制御部３０５は、承認画面５２０を図１１（ｂ）の内容に切り替える。ここでは、領域５２２に、１円の損貨の画像Ｐ１とその硬貨情報５２２ａが表示される。領域５２２には、１円の損貨のサンプル画像Ｓ１、Ｓ２が表示される。その他の表示項目は、図１０（ｂ）と同様である。承認者は、領域５２２、５２３の表示を参照して、硬貨情報５２２ａが適正であるか否かを判断する。そして、承認者は、その判断結果に応じて、ボタン５２５、５２６の何れかを操作する。ボタン５２５、５２６が操作された場合の処理は、図１０（ｂ）の場合と同様である。こうして、承認者は、１円の損貨に対する承認を行う。
【０１３４】
その後、承認者は、送りキー５２７ａを２回操作して、未確認の１番目の硬貨の画像を表示させる。これにより、制御部３０５は、承認画面５２０を図１２（ａ）の内容に切り替える。
【０１３５】
図８（ｂ）に示したように、１番目の１００円の損貨については、承認有無の項目が“自動”に設定され、硬貨情報が自動承認済みとなっている。この場合、承認画面５２０は、図１２（ａ）に示すように、承認者名Ｎ１の項目に“自動承認”が表示され、承認のためのボタン５２６が省略される。領域５２２、５２３には、それぞれ、１００円の損貨の画像Ｐ１と、１００円の損貨のサンプル画像Ｓ１、Ｓ２が表示される。
【０１３６】
承認者は、承認者名Ｎ１の項目を参照することにより、１００円の損貨については、自動承認済みのため承認が不要であることを把握する。この確認の後、承認者は、ボタン５２８を操作する。これに応じて、制御部３０５は、図１２（ｂ）に示す一覧画面５１０を表示させる。ここでは、図１０（ｂ）〜図１２（ａ）の操作により通番０００７の全ての硬貨に対する承認が完了したため、通番０００７の確認状況の項目が、確認済みに変更されている。
【０１３７】
承認者は、未確認の通番００１１の取引に対しても、上記と同様の操作により承認を行う。こうして、リスト５１１に表示された全ての取引に対して承認を行うと、操作者は、ボタン５１４、５１５の何れかを操作する。これにより、承認操作が終了する。
【０１３８】
なお、操作者は、図１２（ａ）の承認画面５２０において、適宜、ボタン５２５を操作して、硬貨情報５２２ａを訂正することもできる。この場合は、訂正の終了に応じてボタン５２６が表示される。承認者は、訂正後の硬貨情報５２２ａを確認した後、ボタン５２６を操作する。これにより、訂正後の硬貨情報５２２ａに対して承認が行われる。硬貨情報５２２ａが訂正された場合は、領域５２１に表示される内容も、訂正に応じて修正される。
【０１３９】
＜実施形態の効果＞
本実施形態によれば、以下の効果が奏され得る。
【０１４０】
設定操作により硬貨の画像に紐付けて記憶部３０６に記憶された硬貨情報（貨幣情報）が信頼性に基づく所定の条件（図９（ａ）のＳ２１１、Ｓ２１２、図９（ｂ）のＳ３１１）を満たす場合に、硬貨情報の承認のための操作の一部（図１０（ｂ）のボタン５２６の操作）が省略される。これにより、承認操作の手間を省くことができ、承認をより簡易に行うことができる。また、信頼度が所定の条件を満たす場合に操作が省略されるため、硬貨情報の信頼性を担保できる。よって、硬貨情報の信頼性が担保しながら、硬貨情報の承認をより簡易に行うことができる。
【０１４１】
図５のステップＳ１０７において、制御部３０５は、カメラ５１により撮像された硬貨の画像に基づき当該硬貨の金種を識別する処理を行う。そして、図９（ａ）に示すように、金種の識別結果が操作者により設定された硬貨情報に一致すること（Ｓ２１１）が、自動承認済み（Ｓ２１３）の設定条件に含まれている。金種の識別結果と、操作者により設定された硬貨情報とが一致する場合、設定された硬貨情報は、信頼性が高いと言える。すなわち、この場合、硬貨情報は、恰も、装置と操作者とによるダブルチェックを受けて設定された状態となる。よって、この構成によれば、自動承認済みに設定された硬貨情報（すなわち、承認操作が省略された硬貨情報）に対する信頼性を担保することができる。
【０１４２】
図５のステップＳ１０７において、制御部３０５は、金種の識別結果とともに識別結果の信頼度を取得する。そして、図９（ａ）に示すように、識別結果の信頼度が所定の閾値以上であること（Ｓ２１２）が、さらに、自動承認済み（Ｓ２１３）の設定条件に含まれている。これにより、自動承認済みに設定された硬貨情報（すなわち、承認操作が省略された硬貨情報）に対する信頼性をさらに高めることができる。
【０１４３】
図５の入金処理の際に、制御部３０５は、カードリーダ３０３を介して、操作者のＩＤ情報（操作者情報）を取得する。そして、図９（ｂ）に示すように、ＩＤ情報（操作者情報）が、予め記憶部３０６に登録されている所定権限を有する操作者のＩＤ情報に一致すること（Ｓ３１１）が、さらに、自動承認済み（Ｓ３１３）の設定条件に含まれている。上長や管理責任者等の所定権限を有する者自身が、硬貨情報の設定を行った場合、設定された硬貨情報の信頼性は高く、別途、承認を行う必要はないと言える。よって、この構成によれば、自動承認済みに設定された硬貨情報（すなわち、承認操作が省略された硬貨情報）の信頼性を担保することができる。
【０１４４】
制御部３０５は、図１０（ｂ）の承認画面において、カメラ５１により撮像された承認対象の硬貨の画像Ｐ１と、当該硬貨の硬貨情報に応じたサンプル画像Ｓ１、Ｓ２とを操作表示部３０１に表示させる。これにより、操作者は、硬貨の画像Ｐ１とサンプル画像Ｓ１、Ｓ２とを対比することにより、硬貨の画像Ｐ１に紐付けられた硬貨情報５２２ａ（識別結果）が適正であるかを容易に確認できる。よって、操作者は、当該硬貨の画像Ｐ１に紐付けられた硬貨情報の適否を容易に確認できる。
【０１４５】
制御部３０５は、承認操作を受け付ける処理において、硬貨情報が自動承認済みの条件を満たさない場合は、図１０（ｂ）に示すように、承認画面５２０において、硬貨の画像Ｐ１および硬貨情報５２２ａを表示させるとともに、硬貨情報を訂正する操作（ボタン５２５）と、硬貨情報を確定させる操作（ボタン５２６）とを受け付け、硬貨情報が自動承認済みの条件を満たしている場合は、図１２（ａ）に示すように、これら２つの操作のうち、少なくとも、硬貨情報を確定させる操作（ボタン５２６）の受け付けを省略する。この構成によれば、承認者は、硬貨情報の信頼性が高い場合に、少なくとも、硬貨情報を確定させる操作を行う必要がない。よって、承認操作をより簡易に行うことができる。
【０１４６】
＜変更例１＞
上記実施形態では、承認画面５２０において、承認対象の硬貨の画像Ｐ１と、硬貨情報５２２ａに対応する硬貨のサンプル画像Ｓ１、Ｓ２とが表示されたが、変更例１では、さらに、承認対象の硬貨と同時に撮像された複数の硬貨の画像を含む全体画像が表示される。
【０１４７】
すなわち、本変更例１では、図１３（ａ）に示すように、承認画面５２０に、全体画像を表示させるためのボタン５２９が含まれている。承認者がボタン５２９を操作すると、制御部３０５は、図１３（ｂ）に示すように、領域５２３の画像を全体画像Ｐ２に切り替える。この場合、ボタン５２９に代えて、サンプル画像Ｓ１、Ｓ２を表示させるためのボタン５３０が含まれる。承認者がボタン５３０を操作すると、制御部３０５は、図１３（ａ）の表示に戻す。
【０１４８】
操作者は、図１３（ｂ）の承認画面５２０において、承認対象の硬貨の画像Ｐ１とともに全体画像Ｐ２を参照できる。これにより、操作者は、承認対象の硬貨の設置位置や設置状態を把握できる。よって、硬貨情報の承認作業をより円滑に進めることができる。
【０１４９】
＜変更例２＞
変更例１では、全体画像Ｐ２が表示されたが、変更例２でが、さらに、全体画像Ｐ２に含まれる硬貨の硬貨情報を一括して承認可能となっている。すなわち、本変更例２では、図１４（ａ）に示すように、全体画像Ｐ２に含まれる全ての硬貨の硬貨情報を一括して承認するためのボタン５３１が、承認画面５２０に含まれている。
【０１５０】
図１３（ａ）の承認画面５２０において、ボタン５２９が操作されると、制御部３０５は、承認画面５２０の表示内容を、図１４（ａ）の表示内容に切り替える。承認者は、全体画像Ｐ２に表示された各硬貨の画像と、領域５２１に表示されたこれら硬貨の硬貨情報（硬貨種別５２１ｆ、処理対象硬貨５２１ｇ）を参照し、各硬貨の画像に硬貨情報が適正に紐付けられているか否かを判断する。そして、承認者は、各硬貨の画像に硬貨情報が適正であると判断して、これら硬貨情報を一括して承認する場合に、ボタン５３１を操作する。なお、承認者は、ボタン５２６の操作により、硬貨ごとに硬貨情報の承認を進めることもできる。
【０１５１】
承認者がボタン５３１を操作すると、制御部３０５は、全体画像Ｐ２に含まれている全ての硬貨の画像に紐付けられている硬貨情報を、承認済みに確定させる。この場合、制御部３０５は、全体画像Ｐ２に含まれている各硬貨の画像の硬貨情報のうち、承認済みの硬貨情報（既に承認操作か確定された硬貨情報、自動承認済みの硬貨情報）以外の硬貨情報を、承認済みに設定する。なお、一括承認がなされた場合は、自動承認済みの硬貨情報が、承認者による承認の状態に変更されてもよい。
【０１５２】
本変更例２によれば、承認者は、複数の硬貨の画像について硬貨情報を一括して承認できるため、硬貨ごとに承認を行う場合に比べて、承認操作を顕著に簡略化できる。よって、硬貨情報の承認をより簡易に行うことができる。
【０１５３】
また、承認者は、承認画面５２０において、複数の硬貨情報を一括して承認する操作（ボタン５３１）と、硬貨ごとに硬貨情報を個別に承認する操作（ボタン５２６）とを任意に選択できる。たとえば、全体画像に含まれる一部の硬貨の画像について硬貨情報が誤っている場合は、一括承認を行えない。このような場合に、承認者は、個別承認を選択して、硬貨ごとに承認または訂正を行う。これにより、承認者は、承認の作業を、円滑に進めることができる。
【０１５４】
なお、全体画像Ｐ２においては、さらに、承認済みの有無を区別可能な表示が、各硬貨の画像に付されてもよい。たとえば、図１４（ｂ）に示すように、承認済みでない硬貨の画像Ｐ２１、Ｐ２２に、未承認であることを示すハイライト表示Ｅ２１、Ｅ２２（たとえば、所定の色の囲み枠）が付されてもよい。これにより、承認者は、承認済みの硬貨の画像Ｐ２３と、未承認の硬貨の画像Ｐ２１、Ｐ２２を容易に識別できる。よって、承認者は、一括承認の際に、特に、どの硬貨に対して硬貨情報を確認すべきかを把握でき、一括承認の作業をより円滑に進めることができる。
【０１５５】
なお、図１４（ｂ）の例では、１００円の損貨の硬貨情報が自動承認済みであるため、１００円の損貨の画像Ｐ２３にはハイライト表示が付されていない。ただし、ハイライト表示が付される画像は、必ずしも、硬貨情報が未承認の硬貨の画像に限られるものではない。たとえば、硬貨情報が自動承認済みの硬貨の画像にハイライト表示が付されてもよく、あるいは、未承認および自動承認済みの両方の硬貨の画像に対して互いに異なるハイライト表示が付されてもよい。
【０１５６】
また、全体画像Ｐ２の表示において、図１４（ｂ）に示すように、各硬貨の画像Ｐ２１〜Ｐ２３に対して、硬貨情報（ここでは金種）のラベルＫ２１〜Ｋ２３が付記されてもよい。これにより、承認者は、各硬貨の画像に紐付けられた硬貨情報の適否を容易に把握でき、一括承認の作業をより円滑に進めることができる。
【０１５７】
なお、変更例２の構成は、自動承認済みの処理が行われない場合においても有効である。すなわち、変更例２に係る発明は、必ずしも、自動承認済みの処理を含まなくてもよく、それ単独で成立し得るものである。この場合も、承認者は、複数の硬貨の画像について硬貨情報を一括して承認できるため、硬貨ごとに承認を行う場合に比べて、承認操作を顕著に簡略化できる。
【０１５８】
＜変更例３＞
上記変更例１では、図１２（ａ）に示すように、自動承認済みの硬貨情報に対して承認操作を確定させる操作（ボタン５２６）が省略されたが、自動承認済みの硬貨情報に対して、硬貨情報の訂正（ボタン５２６）を含む全ての承認操作が省略されてもよい。
【０１５９】
この場合、承認画面５２０は、たとえば、図１５（ａ）、（ｂ）の構成に変更される。ここで、取引において入金された硬貨は、１００円、５００円、１円の３枚の損貨である。しかし、１００円の損貨については、図９（ａ）、（ｂ）の処理により硬貨情報が自動承認済みに設定されているため、表示部５２７ｃには、承認対象の硬貨が５００円、１円の損貨の２枚であることが表示される。また、承認対象の硬貨が５００円、１円の損貨の２枚であるため、図１５（ａ）では、送りキー５２７ａが操作不能にグレイアウトされており、図１５（ｂ）では、送りキー５２７ｂが操作不能にグレイアウトされている。承認者は、送りキー５２７ａ、５２７ｂを操作しても、１００円の損貨を承認対象として領域５２２に表示させることができない。すなわち、硬貨情報が自動承認済みの硬貨の画像は、承認対象として、領域５２２に表示されない。
【０１６０】
承認者は、領域５２１の表示により、当該取引において処理された硬貨が、５００円、１００円、１円の損貨であることを把握できる。また、承認者は、表示部５２７ｃの表示により、これら３枚の損貨のうち何れかが、自動承認済みにより承認不要であることを把握できる。承認者は、送りキー５２７ａ、５２７ｂを操作することにより、承認対象の硬貨が、５００円、１円の損貨であり、１００円の損貨については承認不要であることを把握できる。承認者は、送りキー５２７ａ、５２７ｂを操作して未承認の５００円、１円の損貨の画像Ｐ１を領域５２２に表示させ、これら損貨の硬貨情報の承認を行う。
【０１６１】
このように、変更例３では、自動承認済みの硬貨（ここでは、１００円損貨）の画像に対する承認操作が完全にスキップされる。したがって、承認者は、承認操作をさらに簡易に進めることができる。
【０１６２】
なお、自動承認済みの硬貨の画像は領域５２２に表示されるが、ボタン５２５、５２６の両方が省略されてもよい。この場合、承認者は、当該硬貨情報の訂正はできないものの、自動承認済みの硬貨の画像とその硬貨情報を、確認することができる。
【０１６３】
＜その他の変更例＞
上記実施形態では、複数の硬貨を載置可能に載置部が構成されたが、１枚の硬貨のみを載置可能に載置部が構成されてもよい。
【０１６４】
図１６は、この場合の特殊硬貨処理装置７の構成を示す図である。
【０１６５】
筐体１４の前面には、入金口１５が設けられる。入金口１５は、左右方向に移動可能なシャッター１６により開閉される。筐体１４内には、入金口１５の奥に載置部１７が設けられる。操作者は、シャッター１６を開放して、入金口１５から載置部１７上の載置位置１７ａに硬貨を載置する。
【０１６６】
載置位置１７ａの上方にカメラ５１が設置されている。載置位置１７ａの奥方に発光ユニット６１が設置されている。発光ユニット６１は、載置位置１７ａに載置された硬貨に光を照射する。発光ユニット６１により硬貨に光を照射させながら、カメラ５１により硬貨の画像が撮像される。制御部３０５は、撮像された硬貨の画像を操作表示部３０１に表示させて硬貨情報の設定を受け付ける。硬貨情報の設定方法は、図７（ａ）、（ｂ）と同様である。制御部３０５は、設定された硬貨情報を硬貨の画像に紐付けて記憶部３０６に記憶させる。このとき、図９（ａ）、（ｂ）の処理により硬貨情報が自動承認済みまたは未承認に設定される。
【０１６７】
さらに、硬貨は、撮像画像に基づき、損貨と記念貨の何れであるかが判別され、振り分け機構（図示せず）によって、第１収納庫３１または第２収納庫３２に収納される。損貨と記念貨の何れでもない硬貨は、返却用の第３収納庫３５に収納される。この場合、当該硬貨の画像と硬貨情報は、記憶部３０６に記憶されない。
【０１６８】
この構成においても、図９（ａ）、（ｂ）の処理により、硬貨情報が自動承認済みまたは未承認に設定される。また、図１０（ｂ）〜図１２（ａ）の場合と同様、自動承認済みの硬貨情報に対しては、承認操作が省略される。これにより、承認者は、承認操作を簡易に進めることができる。なお、この構成においても、上記変更例３と同様、自動承認済みの硬貨情報に対する承認操作が完全にスキップされてもよい。
【０１６９】
また、上記実施形態では、操作表示部３０１が特殊硬貨処理装置７と別体であったが、操作表示部３０１が特殊硬貨処理装置７に一体的に設けられてもよい。この構成においては、さらに、図５および図９（ａ）、（ｂ）の処理が、特殊硬貨処理装置７側の制御部２０６によって行われてもよい。
【０１７０】
この場合、特殊硬貨処理装置７は、たとえば、図１７のように構成される。特殊硬貨処理装置７は、ディスプレイ２０８ａおよびタッチセンサ２０８ｂからなる操作表示部２０８を備える。記憶部２０７は、図４に示した硬貨画像データベース３０６ａおよび硬貨情報データベース３０６ｂと同様の硬貨画像データベース２０７ａおよび硬貨情報データベース２０７ｂを保持する。
【０１７１】
制御部２０６は、図６（ａ）〜（ｄ）の画面を操作表示部２０８に表示させながら、図５の処理を実行する。また、制御部２０６は、図９（ａ）、（ｂ）の処理により硬貨情報を自動承認済みまたは未承認に設定する。処理結果に基づく硬貨情報は、記憶部２０７の硬貨情報データベース２０７ｂに記憶される。承認操作は、特殊硬貨処理装置７の操作表示部２０８において、図１０（ａ）〜図１２（ｄ）の画面に従って行われる。この場合も、変更例１〜３の構成が適用され得る。なお、硬貨情報が、操作端末８側に送信されて、操作端末８側の記憶部３０６（硬貨情報データベース３０６ｂ）に記憶されてもよい。この場合、承認操作は、上記実施形態と同様、操作端末８側で行われる。
【０１７２】
また、上記実施形態では、第１載置部２１および第２載置部２２の２つの載置部が設けられたが、第１載置部２１および第２載置部２２の何れか一方が省略されてもよい。載置領域の数は、必ずしも２つに限られるものではない。
【０１７３】
また、発光ユニット６１の配置位置は、上記実施形態の位置に限られるものではなく、筐体１０の左右の内側面やシャッター１２の上側内側面であってもよい。発光ユニット６１の数も１つに限らず複数であってもよい。
【０１７４】
また、上記実施形態では、図５のステップＳ１０７で識別された硬貨の種別と金種が、図６（ｄ）の入金処理画面４４０において、硬貨情報の設定候補として表示され、表示された設定候補を、適宜、操作者が修正する構成であったが、識別結果による硬貨情報が設定候補として表示されなくてもよい。この場合、操作者は、各硬貨の画像に対して、目視により、硬貨情報（種別、金種）を設定する。この場合、制御部３０５は、図９（ａ）のステップＳ２１１において、操作者が設定した硬貨情報と、図５のステップＳ１０７で取得した硬貨情報とは一致するか否かを判定する。制御部３０５は、両硬貨情報が一致しない場合に、ステップＳ２１１の判定をＹＥＳとする。この構成によっても、上記実施形態と同様の効果が奏され得る。
【０１７５】
なお、このように、識別結果による硬貨情報が設定候補として表示されない場合、以下の効果がさらに期待され得る。たとえば、上記実施形態のように、識別結果による硬貨情報が設定候補として表示される場合、操作者は、日々の業務に慣れることにより、設定候補が表示された硬貨について、目視による確認を正確に行わずに、設定候補を当該硬貨の硬貨情報として、そのまま確定させる可能性が生じ得る。これに対し、識別結果による硬貨情報が設定候補として表示されない場合、操作者は、各硬貨に対して必ず目視による確認を行った上で硬貨情報を設定する。よって、識別結果による硬貨情報を設定候補として表示させないことにより、硬貨情報の設定精度を高めることができる。
【０１７６】
また、上記実施形態のように、識別結果による硬貨情報が設定候補として表示される場合、その設定候補が間違っていると、操作者は、当該間違いを利用して不正を行う可能性もあり得る。これに対し、識別結果による硬貨情報が設定候補として表示されない場合には、このような不正は行われ得ない。よって、この観点から、識別結果による硬貨情報を設定候補として表示させないことが好ましいと言える。
【０１７７】
また、変更例１、２では、領域５２３に全体画像Ｐ２が表示されたが、領域５２２、５２３を統合した領域に全体画像Ｐ２が表示されてもよい。この場合、図１４（ａ）のボタン５２５、５２６は省略され、全体画像Ｐ２の表示状態では一括承認のみが可能とされてもよい。この構成によれば、より大きな全体画像Ｐ２により、各硬貨の画像を確認できる。よって、一括承認をより円滑に進めることができる。
【０１７８】
また、図１４（ｂ）の全体画像Ｐ２において、硬貨の画像がタッチされると、当該硬貨の硬貨情報を訂正する画面に切り替えられてもよい。これにより、承認者は、硬貨情報の訂正を円滑に進めることができる。
【０１７９】
さらに、上記実施形態において、特殊硬貨処理装置７に対し、特殊な硬貨として、外国硬貨を入金できてもよい。また、特殊硬貨処理装置７と操作端末８との組み合わせによって、本発明の貨幣処理システムが構成されてもよい。また、特殊硬貨に限らず、通常の硬貨を処理する硬貨処理装置に本発明が適用されてもよい。また、硬貨に限らず、紙幣を処理する紙幣処理装置に本発明が適用されてもよい。
【０１８０】
この他、本発明の実施形態は、特許請求の範囲に記載の範囲で適宜変更可能である。
【符号の説明】
【０１８１】
７  特殊硬貨処理装置（貨幣処理装置）
８  操作端末
５１  カメラ（撮像部）
２０６  制御部
３０５  制御部
【図１】
2020173610.tif 000003
【図２】
2020173610.tif 000004
【図３】
2020173610.tif 000005
【図４】
2020173610.tif 000006
【図５】
2020173610.tif 000007
【図６】
2020173610.tif 000008
【図７】
2020173610.tif 000009
【図８】
2020173610.tif 000010
【図９】
2020173610.tif 000011
【図１０】
2020173610.tif 000012
【図１１】
2020173610.tif 000013
【図１２】
2020173610.tif 000014
【図１３】
2020173610.tif 000015
【図１４】
2020173610.tif 000016
【図１５】
2020173610.tif 000017
【図１６】
2020173610.tif 000018
【図１７】
2020173610.tif 000019